(57)【要約】【課題】受信した情報に相応しい適切な表示手段にその情報を表示させることによって、利便性を大きく向上させることを目的とする。【解決手段】携帯電話機１０は、受信情報の種別ＩＤや内容に基づいて緊急度を判別し、緊急度が高いと判別された場合には、電池残量が少ない状態または省電力モードに設定されている状態であれば、画面Ｂ１０６ｂを選択し、受信情報をその画面Ｂ１０６ｂに表示させ、画面Ｂ１０６ｂへの電力供給を停止する。その後、災害情報管理装置１８から配信された関連情報を受信し、画面Ｂ１０６ｂへの電力供給を開始し、関連情報を画面Ｂ１０６ｂに表示させ、画面Ｂ１０６ｂへの電力供給を停止する。【選択図】図８
2010004326.tif 000002
【特許請求の範囲】
【請求項１】
複数の表示手段に情報を表示させる端末装置であって、
前記情報を受信する受信手段と、
前記受信手段によって受信された情報に基づいて、前記複数の表示手段の中からいずれかの表示手段を選択する選択手段と、
前記選択手段によって選択された表示手段に、前記受信手段によって受信された情報を表示させるように制御する第１表示制御手段と、
を備えることを特徴とする端末装置。
【請求項２】
前記受信手段によって受信された情報の緊急度を判別する緊急度判別手段を更に備え、
前記選択手段は、前記緊急度判別手段によって判別された緊急度に基づいて、前記複数の表示手段の中からいずれかの表示手段を選択する、
ことを特徴とする請求項１記載の端末装置。
【請求項３】
前記緊急度判別手段は、前記受信手段によって受信された情報の種別および内容の少なくともいずれか一方に基づいて、情報の緊急度を判別する、
ことを特徴とする請求項２記載の端末装置。
【請求項４】
前記選択手段によって選択された表示手段に、前記受信手段によって受信された情報に関連する関連情報を表示させるように制御する第２表示制御手段を更に備える、
ことを特徴とする請求項１記載の端末装置。
【請求項５】
前記複数の表示手段は、電力供給が停止されても表示内容が保持される内容保持表示手段を含み、
前記選択手段は、前記受信手段によって受信された情報が緊急度の高い情報である場合に、前記複数の表示手段の中から前記内容保持表示手段を選択し、
前記第１表示制御手段は、前記選択手段によって選択された内容保持表示手段に、前記受信手段によって受信された情報を表示させるように制御する、
ことを特徴とする請求項１記載の端末装置。
【請求項６】
前記第１表示制御手段によって前記内容保持表示手段に情報を表示させた場合に、前記内容保持表示手段への電力供給を抑制する抑制手段を更に備える、
ことを特徴とする請求項５記載の端末装置。
【請求項７】
割込イベントの発生を検出するイベント検出手段と、
前記第１表示制御手段による制御が行われた状態か否かを判別する状態判別手段と、
前記イベント検出手段によって割込イベントの発生が検出された際に、前記状態判別手段によって前記第１表示制御手段による制御が行われた状態であると判別した場合に、前記選択手段によって選択された表示手段に、前記割込イベントに応じた表示内容を表示させるように制御する第３表示制御手段と、
を更に備えることを特徴とする請求項１記載の端末装置。
【請求項８】
主要動作用の電池残量を検出する残量検出手段を更に備え、
前記第１表示制御手段は、前記残量検出手段によって電池残量が少ないことが検出された場合に、前記選択手段によって選択された表示手段に、前記受信手段によって受信された情報を表示させるように制御する、
ことを特徴とする請求項１記載の端末装置。
【請求項９】
消費電力を抑制するための動作モードである省電力モードに設定するモード設定手段を更に備え、
前記第１表示制御手段は、前記モード設定手段によって省電力モードに設定されている場合に、前記選択手段によって選択された表示手段に、前記受信手段によって受信された情報を表示させるように制御する、
ことを特徴とする請求項１記載の端末装置。
【請求項１０】
前記第１表示制御手段による制御を解除するための解除条件を満たすか否かを判別する条件判別手段と、
前記条件判別手段によって解除条件を満たすと判別された場合に、前記第１表示制御手段による制御を解除する解除手段と、
を更に備えることを特徴とする請求項１記載の端末装置。
【請求項１１】
コンピュータに、
情報を受信する機能、
前記受信された情報に基づいて、複数の表示手段の中からいずれかの表示手段を選択する機能、
前記選択された表示手段に前記受信された情報を表示させるように制御する機能、
を実現させるためのプログラム。
【発明の詳細な説明】
【技術分野】
【０００１】
本発明は、複数の表示手段に情報を表示させる端末装置およびプログラムに関する。
【背景技術】
【０００２】
従来、携帯電話機などの端末装置には、電子メール、新着ニュース、天気予報、災害情報など様々な情報を受信して表示手段に表示させる機能を搭載しているものがある。
たとえば、災害情報などの緊急情報を受信した場合に、その緊急情報のデータをメモリに記憶するとともに、その緊急情報を表示素子に表示させる受信機が提案されている（たとえば、特許文献１参照）。この受信機では、緊急情報を頻繁にユーザの眼に触れさせるようにするために、緊急情報キーが操作された場合に、緊急情報を表示素子に再表示するようになっている。
【０００３】
【特許文献１】特開平０８−３３０９９３号公報
【発明の開示】
【発明が解決しようとする課題】
【０００４】
ところで、端末装置には、液晶、有機ＥＬ、電子ペーパなどの各種表示デバイスからなる表示手段を複数備えたものがあり、このような端末装置においては、受信した情報をどの表示手段に表示させるかを、受信した情報に応じて適切に選択する必要がある。
たとえば、受信した情報が災害情報などのように緊急度の高い情報である場合には、ユーザの眼に触れやすい表示手段に表示させる必要があるし、地震などの災害が発生した後には端末装置の充電が困難になることが想定されるので、より省電力の表示手段に表示させた方が良い。
しかしながら、前述の受信機では、受信した情報に応じて表示手段を選択することはしていない。
【０００５】
本発明は、このような事情に鑑みてなされたもので、受信した情報に相応しい適切な表示手段にその情報を表示させることによって、利便性を大きく向上させることができる端末装置およびプログラムを提供することを目的とする。
【課題を解決するための手段】
【０００６】
上記目的達成のため、請求項１に記載の発明は、複数の表示手段に情報を表示させる端末装置であって、前記情報を受信する受信手段と、前記受信手段によって受信された情報に基づいて、前記複数の表示手段の中からいずれかの表示手段を選択する選択手段と、前記選択手段によって選択された表示手段に、前記受信手段によって受信された情報を表示させるように制御する第１表示制御手段と、を備えることを特徴とする。
更に、コンピュータに、前述した請求項１記載の発明に示した主要機能を実現させるためのプログラムを提供する（請求項１１記載の発明）。
【０００７】
また、好ましい態様として、たとえば請求項２記載のように、請求項１記載の端末装置において、前記受信手段によって受信された情報の緊急度を判別する緊急度判別手段を更に備え、前記選択手段は、前記緊急度判別手段によって判別された緊急度に基づいて、前記複数の表示手段の中からいずれかの表示手段を選択する、ようにしても良い。
【０００８】
また、好ましい態様として、たとえば請求項３記載のように、請求項２記載の端末装置において、前記緊急度判別手段は、前記受信手段によって受信された情報の種別および内容の少なくともいずれか一方に基づいて、情報の緊急度を判別する、ようにしても良い。
【０００９】
また、好ましい態様として、たとえば請求項４記載のように、請求項１記載の端末装置において、前記選択手段によって選択された表示手段に、前記受信手段によって受信された情報に関連する関連情報を表示させるように制御する第２表示制御手段を更に備える、ようにしても良い。
【００１０】
また、好ましい態様として、たとえば請求項５記載のように、請求項１記載の端末装置において、前記複数の表示手段は、電力供給が停止されても表示内容が保持される内容保持表示手段を含み、前記選択手段は、前記受信手段によって受信された情報が緊急度の高い情報である場合に、前記複数の表示手段の中から前記内容保持表示手段を選択し、前記第１表示制御手段は、前記選択手段によって選択された内容保持表示手段に、前記受信手段によって受信された情報を表示させるように制御する、ようにしても良い。
【００１１】
また、好ましい態様として、たとえば請求項６記載のように、請求項５記載の端末装置において、前記第１表示制御手段によって前記内容保持表示手段に情報を表示させた場合に、前記内容保持表示手段への電力供給を抑制する抑制手段を更に備える、ようにしても良い。
【００１２】
また、好ましい態様として、たとえば請求項７記載のように、請求項１記載の端末装置において、割込イベントの発生を検出するイベント検出手段と、前記第１表示制御手段による制御が行われた状態か否かを判別する状態判別手段と、前記イベント検出手段によって割込イベントの発生が検出された際に、前記状態判別手段によって前記第１表示制御手段による制御が行われた状態であると判別した場合に、前記選択手段によって選択された表示手段に、前記割込イベントに応じた表示内容を表示させるように制御する第３表示制御手段と、を更に備えるようにしても良い。
【００１３】
また、好ましい態様として、たとえば請求項８記載のように、請求項１記載の端末装置において、主要動作用の電池残量を検出する残量検出手段を更に備え、前記第１表示制御手段は、前記残量検出手段によって電池残量が少ないことが検出された場合に、前記選択手段によって選択された表示手段に、前記受信手段によって受信された情報を表示させるように制御する、ようにしても良い。
【００１４】
また、好ましい態様として、たとえば請求項９記載のように、請求項１記載の端末装置において、消費電力を抑制するための動作モードである省電力モードに設定するモード設定手段を更に備え、前記第１表示制御手段は、前記モード設定手段によって省電力モードに設定されている場合に、前記選択手段によって選択された表示手段に、前記受信手段によって受信された情報を表示させるように制御する、ようにしても良い。
【００１５】
また、好ましい態様として、たとえば請求項１０記載のように、請求項１記載の端末装置において、前記第１表示制御手段による制御を解除するための解除条件を満たすか否かを判別する条件判別手段と、前記条件判別手段によって解除条件を満たすと判別された場合に、前記第１表示制御手段による制御を解除する解除手段と、を更に備えるようにしても良い。
【発明の効果】
【００１６】
本発明によれば、受信した情報に相応しい適切な表示手段にその情報を表示させることによって、利便性を大きく向上させることができる。
【発明を実施するための最良の形態】
【００１７】
以下、本発明の実施の形態を、図面を参照して説明する。
Ａ．構成
図１は、本発明の実施形態におけるシステム構成の一例を示す図である。
端末装置の一例としての携帯電話機１０は、基地局１１および交換機１２を介して、無線通信網１３に接続され、別の携帯電話機１０と通信可能になっている。さらに、携帯電話機１０は、無線通信網１３を介してインターネット１４とも接続されている。携帯電話機１０は、音声通話機能、メール機能、インターネット接続機能（ｗｅｂアクセス機能）を有する。
【００１８】
また、携帯電話機１０は、ＧＰＳ衛星１５（GPS : Global Positioning System）から送られてくる電波に基づいて自らの現在位置を示す位置情報を取得したり、あるいは、無線通信網１３に接続されている端末装置の位置情報を記憶して管理する位置情報管理装置１６から送られてくる位置情報を自らの現在位置を示す位置情報として取得したりする。
【００１９】
また、携帯電話機１０は、無線通信網１３に接続されているメール管理装置１７との間でメールの送受信を行う。このメール管理装置１７は、この無線通信網１３に接続されている携帯電話機１０間のメールの送受信を仲介するだけでなく、インターネット１４に接続されている任意のメール管理装置（不図示）と連携して、インターネット１４に接続されている任意の端末装置（不図示）と携帯電話機１０の間のメールの送受信も仲介する。
【００２０】
また、携帯電話機１０は、インターネット１４に接続されている災害情報管理装置１８から配信される災害情報を、インターネット１４、無線通信網１３、交換機１２および基地局１１を介して受信する。この災害情報管理装置１８は、災害が発生したときに、その災害についての情報を配信するようになっている。さらには、その災害に関連する各種の関連情報（避難経路を含む地図データ、道路の混雑状況など）や、災害が去ったときには、緊急状態解除の情報を配信するようになっている。配信先となる端末装置（携帯電話機１０を含む）は、予め会員登録をした端末装置や、発生した災害の地域に存在する端末装置などである。
【００２１】
また、携帯電話機１０は、インターネット１４に接続されているニュース・天気情報管理装置１９から配信されるニュースや天気情報を、インターネット１４、無線通信網１３、交換機１２および基地局１１を介して受信する。このニュース・天気情報管理装置１９は、新着のニュースや天気予報などの天気情報を配信するようになっている。配信先となる端末装置（携帯電話機１０を含む）は、予め会員登録をした端末装置や、ニュースや天気情報の対象地域に存在する端末装置などである。
【００２２】
図２は、本実施形態における携帯電話機１０の構成の一例を示す図である。
携帯電話機１０は、中央制御部１００、記憶部１０１、電池部１０２、無線通信部１０３、ＧＰＳ受信部１０４、音声信号処理部１０５、表示部１０６、操作部１０７、ＲＴＣ１０８および報知部１０９からなる。
【００２３】
中央制御部１００は、記憶部１０１に記憶されている各種のプログラムや情報に応じてこの携帯電話機１０の全体動作を制御する。
【００２４】
記憶部１０１は、たとえば、フラッシュメモリやハードディスクなどの書き込みと読み出しが可能な記憶装置で、プログラム記憶部１０１ａ、受信情報記憶部１０１ｂ、解除条件記憶部１０１ｃ、着信履歴記憶部１０１ｄおよびメール記憶部１０１ｅの他に、この携帯電話機１０が動作するために必要な各種情報（後述する表示部１０６に表示させる画面情報、フラグ情報、タイマ情報など）を一時的に記憶しておくワーク領域などを有している。
【００２５】
プログラム記憶部１０１ａには、後述する図６〜図１４に示す動作手順に応じて本実施形態を実現するためのプログラムなど、この携帯電話機１０で動作する各種プログラムが記憶されている。受信情報記憶部１０１ｂ、解除条件記憶部１０１ｃについては後述する。着信履歴記憶部１０１ｄには、着信ごとに、着信した日時、着信相手の名前、電話番号などが着信履歴として記憶されている。メール記憶部１０１ｅには、送信したメールや受信したメールが送信／受信日時、送信／受信相手の名前やメールアドレスと対応付けられて記憶されている。
【００２６】
電池部１０２は、リチウムイオン電池や燃料電池などから構成され、携帯電話機１０の各部で使用される電力を供給する。また、電池部１０２は、外部の充電機器（不図示）と接続され、電池の充電を行う。さらに、電池部１０２は、電池残量を検出し、その検出結果を示す信号を中央制御部１００に出力する。
【００２７】
無線通信部１０３は、音声通話時には、アンテナＡＮＴ１を介して受信復調した音声データを中央制御部１００に出力する一方、中央制御部１００から供給される音声データを変調して得た送信信号を高周波増幅してアンテナＡＮＴ１から送信する。また、メール通信時やインターネット通信時には、中央制御部１００の制御の下にアンテナＡＮＴ１を介して基地局１１との間でデータの送受信を行う。
【００２８】
ＧＰＳ受信部１０４は、ＧＰＳ衛星１５から送られてくる電波をアンテナＡＮＴ２を介して受信し、この電波に基づいて携帯電話機１０の現在位置（緯度、経度、高度）を取得し、取得した現在位置を示す信号を中央制御部１００に出力する。
【００２９】
音声信号処理部１０５は、中央制御部１００から出力される音声データを音声信号にＤ／Ａ変換してスピーカＳＰから出力（再生・発音）させたり、マイクＭＩＣから出力される音声信号を音声データにＡ／Ｄ変換して中央制御部１００に出力したりする。
【００３０】
表示部１０６は、液晶パネル、有機ＥＬパネル、電子ペーパなどの表示デバイスと表示ドライバから構成され、中央制御部１００の制御の下に、待受画面など各種情報を表示する。
【００３１】
操作部１０７は、たとえば、操作ボタン、タッチパネル、操作ダイヤル、キーボード、マウスなどのユーザインタフェースであり、ユーザの操作入力を電気信号に変換して中央制御部１００に出力する。
【００３２】
ＲＴＣ１０８は、時刻計時やタイマなどに用いるリアルタイムクロックを発生して中央制御部１００に出力する。
【００３３】
報知部１０９は、サウンドスピーカ１０９ａ、ＬＥＤ１０９ｂ、振動モータ１０９ｃなどを有し、音声信号処理部１０５から出力される音声信号をサウンドスピーカ１０９ａから出力させたり、ＬＥＤ１０９ｂを発光させたり、振動モータ１０９ｃを振動させたりすることによって、音声通話の着信、メールの受信、アラーム時刻の到来などの各種割込イベントの発生をユーザに報知する。
【００３４】
図３は、本実施形態における携帯電話機１０の外観の一例を示す図である。
携帯電話機１０は、操作部筐体１１３と表示部筐体１１４とがヒンジ部１１５によって開閉自在に接続された折り畳み構造になっている。
図３−１は、操作部筐体１１３と表示部筐体１１４との折り畳みを開いた使用状態であるオープンスタイルを示す図である。
操作部筐体１１３の折り畳みを閉じたときに内側となる面には、操作ボタン１０７ａが操作部１０７として設けられている。
表示部筐体１１４の折り畳みを閉じたときに内側となる面には、液晶パネルや有機ＥＬパネルからなる画面Ａ１０６ａが表示部１０６として設けられている。また、この画面Ａ１０６ａの表面に、指や操作器具などを使用して行う接触操作を検出するための透明なタッチパネル１０７ｂが操作部１０７として設けられている。
【００３５】
図３−２は、操作部筐体１１３と表示部筐体１１４との折り畳みを閉じた使用状態であるクローズスタイルを示す図である。
表示部筐体１１４の折り畳みを閉じたときに外側となる面には、電子ペーパからなる画面Ｂ１０６ｂが表示部１０６として設けられている。また、この画面Ｂ１０６ｂの表面に、透明なタッチパネル１０７ｃが操作部１０７として設けられている。なお、電子ペーパは、電子ペーパへの電力供給が停止されても表示内容が保持されるように構成されている。
【００３６】
図４は、本実施形態における受信情報記憶部１０１ｂに記憶される受信情報の一例を示す図である。
受信情報記憶部１０１ｂは、情報ＩＤ、受信日時、種別ＩＤ、地域ＩＤ、内容および緊急フラグを対応付けて記憶している。情報ＩＤは受信情報を識別するために一意に付加される情報であり、受信日時は受信情報を受信した日時であり、種別ＩＤは、災害情報、ニュース、天気情報など受信情報の種類を識別するための情報であり、地域ＩＤは、たとえば日本であれば、関東地方、東京、世田谷区など、受信情報の対象となる地域を示す情報であり、内容は受信情報の内容である。緊急フラグは後述する制御を行った際にその原因となった受信情報か否かを示すフラグであり、原因となった場合に「１」、原因とならない場合に「０」になる。緊急フラグの詳細については後述する。
【００３７】
図５は、本実施形態における解除条件記憶部１０１ｃに記憶される解除条件の一例を示す図である。
解除条件記憶部１０１ｃは、解除条件の項目を記憶している。本実施形態では「災害状態の解除」、「対象地域外への移動」、「電池残量が充分な状態に遷移」、「省電力モードの解除」としている。解除条件の詳細については後述する。
【００３８】
Ｂ．動作
次に、本実施形態における動作について説明する。
図６および図７は、本実施形態における携帯電話機１０の動作の一例を説明するためのフローチャート（メインルーチン）である。
まず、携帯電話機１０は、主要動作用の電力を各部へ供給するための電源オン操作があったか否かを判断し（ステップＡ１）、電源オン操作があった場合には（ステップＡ１でＹＥＳ）、各部への電力供給を開始し、無線通信網１３への位置登録動作や待受画面表示動作などの待受処理を行う（ステップＡ２）。
【００３９】
次に、携帯電話機１０は、設定操作、省電力モード設定操作、電池残量少検出、情報受信、着信／メール受信、位置取得タイマタイムアウト、省電力モード解除操作、電池残量充分検出、電源オフ操作およびその他の操作の各イベントの有無を判断する（ステップＡ３〜ステップＡ１２）。これらのイベントが発生しない場合には（ステップＡ３〜ステップＡ１２でＮＯ）、その後、ステップＡ３に戻る。一方、これらのイベントのいずれかが発生すると、その発生したイベントに応じた処理を実行する。以下、イベントごとの動作を説明する。
【００４０】
Ｂ−ａ．設定操作
設定操作が行われると（ステップＡ３でＹＥＳ）、携帯電話機１０は、その設定操作に応じた設定処理を行う（ステップＡ１３）。設定処理とは、着信報知音の音量設定、待受画面に表示する画像の選択設定など、携帯電話機１０に関する各種設定処理である。
【００４１】
Ｂ−ｂ．省電力モード設定操作
省電力モードに設定する操作が行われると（ステップＡ４でＹＥＳ）、携帯電話機１０は、省電力フラグ（不図示）を「１」に設定する（ステップＡ１４）。その後、ステップＡ３に戻る。なお、省電力モードに設定されると、携帯電話機１０は、消費電力を抑制するために、表示部１０６の輝度を下げたり、スピーカＳＰやサウンドスピーカ１０９ａから出力される音量を下げたり、ユーザ操作が所定期間無い場合に表示部１０６の表示をオフしたりするような各種処理を行うが、詳細の説明は省略する。
【００４２】
Ｂ−ｃ．電池残量少検出
電池部１０２の電池残量が少ない状態であること（すなわち、携帯電話機１０の各部が動作するのに充分な残量ではないこと、あるいは、充分な残量から少ない残量になったこと）を検出すると（ステップＡ５でＹＥＳ）、携帯電話機１０は、電池残量フラグ（不図示）を「１」に設定する（ステップＡ１５）。その後、ステップＡ３に戻る。
【００４３】
Ｂ−ｄ．情報受信
災害情報、ニュース、天気情報などの情報を受信すると（ステップＡ６でＹＥＳ）、携帯電話機１０は、情報受信処理を行う（ステップＡ１６）。情報受信処理については後述する。その後、ステップＡ３に戻る。
【００４４】
Ｂ−ｅ．着信／メール受信
音声通話の着信やメールの受信があると（ステップＡ７でＹＥＳ）、携帯電話機１０は、着信／メール受信処理を行う（ステップＡ１７）。着信／メール受信処理については後述する。その後、ステップＡ３に戻る。
【００４５】
Ｂ−ｆ．位置取得タイマタイムアウト
位置取得タイマ（不図示）がタイムアウトすると（ステップＥ８でＹＥＳ）、携帯電話機１０は、位置情報取得処理を行う（ステップＡ１８）。位置取得タイマおよび位置情報取得処理については後述する。その後、ステップＡ３に戻る。
【００４６】
Ｂ−ｇ．省電力モード解除操作
省電力モードの設定を解除する操作が行われると（ステップＡ９でＹＥＳ）、携帯電話機１０は、省電力フラグ（不図示）を「０」に設定し（ステップＡ１９）、表示制御解除処理を行う（ステップＡ２０）。表示制御解除処理については後述する。その後、ステップＡ３に戻る。なお、省電力モードが解除されると、携帯電話機１０は、省電力モードに設定されたときに行っていた各種処理（表示部１０６の輝度を下げたり、スピーカＳＰやサウンドスピーカ１０９ａから出力される音量を下げたり、ユーザ操作が所定期間無い場合に表示部１０６の表示をオフしたりするような各種処理）を解除するが、詳細の説明は省略する。
【００４７】
Ｂ−ｈ．電池残量充分検出
電池部１０２の電池残量が充分な状態であること（すなわち、携帯電話機１０の各部が動作するのに充分な残量であること、あるいは、少ない残量から充電などによって充分な残量になったこと）を検出すると（ステップＡ１０でＹＥＳ）、携帯電話機１０は、電池残量フラグ（不図示）を「０」に設定し（ステップＡ２１）、表示制御解除処理を行う（ステップＡ２０）。表示制御解除処理については後述する。その後、ステップＡ３に戻る。
【００４８】
Ｂ−ｉ．電源オフ操作
各部への主要動作用の電力の供給を停止するための電源オフ操作が行われると（ステップＡ１１でＹＥＳ）、携帯電話機１０は、各部への電力供給を停止するなどの電源オフ処理を行い（ステップＡ２２）、このフローチャート（メインルーチン）を終了する。
【００４９】
Ｂ−ｊ．その他の操作
その他の操作が行われると（ステップＡ１２でＹＥＳ）、携帯電話機１０は、その他の操作に応じた処理を行う（ステップＡ２３）。その他の操作とは、たとえば、音声通話の発信操作、インターネット接続操作などである。その後、ステップＡ３に戻る。
【００５０】
図８および図９は、前述した情報受信処理の動作の一例を説明するためのフローチャートである。
携帯電話機１０は、受信した情報（種別ＩＤ、地域ＩＤ、内容）に対して、情報ＩＤ、受信日時および緊急フラグ「０」を付加して、受信情報として受信情報記憶部１０１ｂに記憶させる（ステップＢ１）。なお、情報ＩＤは、受信した情報に含まれていれば、それを利用しても良い。
次に、携帯電話機１０は、ステップＢ１で記憶された受信情報を指定情報に指定する（ステップＢ２）。指定情報とは、後述する表示制御処理Ａや表示制御処理Ｂで、表示部１０６に表示させる情報（表示内容）のことである。すなわち、ステップＢ２では、表示部１０６に表示させる情報として、ステップＢ１で記憶された受信情報を指定する。
【００５１】
次に、携帯電話機１０は、ステップＢ１で記憶された受信情報の種別ＩＤや内容に基づいて緊急度を判別する（ステップＢ３）。具体的には、種別ＩＤが災害情報を示す種別ＩＤか否か、内容に緊急度の高い情報が含まれているか否かを判別することによって緊急度を判別する。緊急度が高いと判別された場合には（ステップＢ４でＹＥＳ）、携帯電話機１０は、サウンドスピーカ１０９ａから報知音を出力させたり、ＬＥＤ１０９ｂを発光させたり、振動モータ１０９ｃを振動させたりすることによって、緊急度が高い情報を受信した旨を報知する（ステップＢ５）。
【００５２】
次に、携帯電話機１０は、電池残量フラグが「１」であるか否かを判別する（ステップＢ６）。電池残量フラグが「１」でない（すなわち、電池残量が充分な状態である）と判別された場合には（ステップＢ６でＮＯ）、省電力フラグが「１」であるか否かを判別する（ステップＢ７）。ステップＢ６で電池残量フラグが「１」である（すなわち、電池残量が少ない状態である）と判別された場合（ステップＢ６でＹＥＳ）、または、ステップＢ７で省電力フラグが「１」である（すなわち、省電力モードに設定されている状態である）と判別された場合には（ステップＢ７でＹＥＳ）、携帯電話機１０は、表示制御処理Ａを行い（ステップＢ８）、ステップＢ１で記憶された受信情報の緊急フラグを「１」に設定するとともに、表示制御フラグ（不図示）を「１」に設定する（ステップＢ９）。表示制御処理Ａについては後述する。
【００５３】
一方、ステップＢ７で省電力フラグが「１」でない（すなわち、省電力モードに設定されていない状態である）と判別された場合には（ステップＢ７でＮＯ）、表示制御処理Ｂを行い（ステップＢ１０）、ステップＢ１で記憶された受信情報の緊急フラグを「１」に設定するとともに（ステップＢ１１）、表示制御フラグ（不図示）を「０」に設定する（ステップＢ１２）。表示制御処理Ｂについては後述する。
ステップＢ９またはステップＢ１２の後、携帯電話機１０は、自らの位置情報を取得し（ステップＢ１３）、位置取得タイマ（不図示）を起動する（ステップＢ１４）。なお、位置取得タイマは、携帯電話機１０の位置情報を取得する間隔を計測するためのもので、その値は、１０秒や１分など任意であり、ユーザが設定できるようにしても良い。
【００５４】
次に、携帯電話機１０は、ステップＢ１３で取得した位置情報とともに、関連情報の配信要求を災害情報管理装置１８に送信し、その位置情報および配信要求に応じて災害情報管理装置１８から配信された関連情報（位置情報が示す位置付近の避難経路を含む地図データや道路の混雑状況など）を受信する（ステップＢ１５）。
次に、携帯電話機１０は、受信した関連情報を指定情報に指定し（ステップＢ１６）、表示制御フラグが「１」であるか否かを判別する（ステップＢ１７）。表示制御フラグが「１」であると判別された場合には（ステップＢ１７でＹＥＳ）、携帯電話機１０は、表示制御処理Ａを行い（ステップＢ１８）、このフローチャートを終了する。一方、表示制御フラグが「１」でないと判別された場合には（ステップＢ１７でＮＯ）、携帯電話機１０は、表示制御処理Ｂを行い（ステップＢ１９）、このフローチャートを終了する。
【００５５】
ところで、ステップＢ４で、緊急度が高くないと判別された場合には（ステップＢ４でＮＯ）、携帯電話機１０は、ステップＢ１で記憶された受信情報が緊急状態解除の情報か否かを種別ＩＤや内容に基づいて判別する（ステップＢ２０）。具体的には、種別ＩＤが緊急状態解除の情報を示す種別ＩＤか否か、内容に緊急状態を解除する情報が含まれているか否かを判別することによって緊急状態解除の情報か否かを判別する。
緊急状態解除の情報であると判別された場合には（ステップＢ２０でＹＥＳ）、携帯電話機１０は、サウンドスピーカ１０９ａから報知音を出力させたり、ＬＥＤ１０９ｂを発光させたり、振動モータ１０９ｃを振動させたりすることによって、緊急状態解除の情報を受信した旨を報知する（ステップＢ２１）。
【００５６】
次に、携帯電話機１０は、表示制御処理Ｂを行い（ステップＢ２２）、ステップＢ１で記憶された受信情報の緊急フラグを「０」に設定するとともに、表示制御フラグ（不図示）を「０」に設定し（ステップＢ２３）、位置取得タイマを停止し（ステップＢ２４）、このフローチャートを終了する。
また、ステップＢ２０で、緊急状態解除の情報でない（すなわち、緊急度の高い情報でもなく、緊急状態解除の情報でもない、一般のニュースや天気情報などの情報である）と判別された場合には（ステップＢ２０でＮＯ）、携帯電話機１０は、サウンドスピーカ１０９ａから報知音を出力させたり、ＬＥＤ１０９ｂを発光させたり、振動モータ１０９ｃを振動させたりすることによって、一般のニュースや天気情報などの情報を受信した旨を報知し（ステップＢ２５）、表示制御フラグが「１」であるか否かを判別する（ステップＢ２６）。
【００５７】
表示制御フラグが「１」であると判別された場合には（ステップＢ２６でＹＥＳ）、携帯電話機１０は、表示制御処理Ａを行い（ステップＢ２７）、このフローチャートを終了する。一方、表示制御フラグが「１」でないと判別された場合には（ステップＢ２６でＮＯ）、携帯電話機１０は、表示制御処理Ｂを行い（ステップＢ２８）、このフローチャートを終了する。
【００５８】
図１０は、前述した表示制御処理Ａの動作の一例を説明するためのフローチャートである。
携帯電話機１０は、画面Ｂ１０６ｂを選択し（ステップＣ１）、画面Ｂ１０６ｂへの電力供給が無いか否かを判別する（ステップＣ２）。画面Ｂ１０６ｂへの電力供給が無いと判別された場合には（ステップＣ２でＹＥＳ）、携帯電話機１０は、画面Ｂ１０６ｂへの電力供給を開始し（ステップＣ３）、指定情報を画面Ｂ１０６ｂに表示させ（ステップＣ４）、画面Ｂ１０６ｂへの電力供給を停止した後（ステップＣ５）、このフローチャートを終了する。ステップＣ２で画面Ｂ１０６ｂへの電力供給があると判別された場合には（ステップＣ２でＮＯ）、ステップＣ４に遷移する。
【００５９】
図１１は、前述した表示制御処理Ｂの動作の一例を説明するためのフローチャートである。
携帯電話機１０は、筐体の使用状態を示すスタイルがオープンスタイルか否かを判別する（ステップＤ１）。オープンスタイルであると判別された場合には（ステップＤ１でＹＥＳ）、携帯電話機１０は、画面Ａ１０６ａを選択し（ステップＤ２）、指定情報を画面Ａ１０６ａに表示させた後（ステップＤ３）、このフローチャートを終了する。
【００６０】
ステップＤ１でオープンスタイルでない（すなわち、クローズスタイルである）と判別された場合には（ステップＤ１でＮＯ）、携帯電話機１０は、画面Ｂ１０６ｂを選択し（ステップＤ４）、画面Ｂ１０６ｂへの電力供給が無いか否かを判別する（ステップＤ５）。画面Ｂ１０６ｂへの電力供給が無いと判別された場合には（ステップＤ５でＹＥＳ）、携帯電話機１０は、画面Ｂ１０６ｂへの電力供給を開始し（ステップＤ６）、指定情報を画面Ｂ１０６ｂに表示させた後（ステップＤ７）、このフローチャートを終了する。ステップＤ５で画面Ｂ１０６ｂへの電力供給があると判別された場合には（ステップＤ５でＮＯ）、ステップＤ７に遷移する。
【００６１】
図１２は、前述した着信／メール受信処理の動作の一例を説明するためのフローチャートである。
携帯電話機１０は、音声通話の着信履歴を着信履歴記憶部１０１ｄに記憶したり（音声通話の着信があった場合（以下同様））、または、受信したメールをメール記憶部１０１ｅに記憶したり（メールの受信があった場合（以下同様））する（ステップＥ１）。
次に、携帯電話機１０は、着信情報または受信情報を指定情報に指定する（ステップＥ２）。なお、着信情報は着信相手の名前や電話番号など、着信に関する情報であり、受信情報はメールの送信相手の名前やメールアドレスなど、メールの受信に関する情報である。
【００６２】
次に、携帯電話機１０は、サウンドスピーカ１０９ａから報知音を出力させたり、ＬＥＤ１０９ｂを発光させたり、振動モータ１０９ｃを振動させたりすることによって、音声通話の着信またはメールの受信があった旨を報知し（ステップＥ３）、表示制御フラグが「１」であるか否かを判別する（ステップＥ４）。表示制御フラグが「１」であると判別された場合には（ステップＥ４でＹＥＳ）、携帯電話機１０は、表示制御処理Ａを行い（ステップＥ５）、一方、表示制御フラグが「１」でないと判別された場合には（ステップＥ４でＮＯ）、携帯電話機１０は、表示制御処理Ｂを行う（ステップＥ６）。
ステップＥ５またはステップＥ６の後、携帯電話機１０は、応答操作を受け付け（ステップＥ７）、その応答操作に応じて通話処理またはメール機能起動処理を行う（ステップＥ８）。なお、応答操作は音声通話に遷移させるための操作や受信したメールを表示させるための操作である。
【００６３】
次に、携帯電話機１０は、通話情報または受信メールを指定情報に指定し（ステップＥ９）、表示制御フラグが「１」であるか否かを判別する（ステップＥ１０）。なお、通話情報は着信相手の名前や電話番号、通話時間、通話料金など、通話に関する情報である。
表示制御フラグが「１」であると判別された場合には（ステップＥ１０でＹＥＳ）、携帯電話機１０は、表示制御処理Ａを行い（ステップＥ１１）、このフローチャートを終了する。一方、表示制御フラグが「１」でないと判別された場合には（ステップＥ１０でＮＯ）、携帯電話機１０は、表示制御処理Ｂを行い（ステップＥ１２）、このフローチャートを終了する。
【００６４】
図１３は、前述した位置情報取得処理の動作の一例を説明するためのフローチャートである。
携帯電話機１０は、自らの位置情報を取得し（ステップＦ１）、緊急度の高い受信情報の対象地域外へ移動したか否かを判別する（ステップＦ２）。具体的には、受信情報記憶部１０１ｂに記憶されていて緊急フラグが「１」になっている受信情報を読み出し、その受信情報の地域ＩＤが示す地域や内容に含まれる地域と、ステップＦ１で取得した位置情報とを比較することによって、対象地域外へ移動したか否かを判別する。
【００６５】
対象地域外へ移動したと判別された場合には（ステップＦ２でＹＥＳ）、携帯電話機１０は、受信情報記憶部１０１ｂに記憶されていて緊急フラグが「１」になっている受信情報の緊急フラグを「０」に設定し（ステップＦ３）、位置取得タイマを停止し（ステップＦ４）、表示制御解除処理を行う（ステップＦ５）。表示制御解除処理については後述する。その後、このフローチャートを終了する。
【００６６】
ステップＦ２で対象地域外へ移動していないと判別された場合には（ステップＦ２でＹＥＳ）、携帯電話機１０は、位置取得タイマ（不図示）を起動し（ステップＦ６）、取得した位置情報とともに、関連情報の配信要求を災害情報管理装置１８に送信し、その位置情報および配信要求に応じて災害情報管理装置１８から配信された関連情報（位置情報が示す位置付近の避難経路を含む地図データや道路の混雑状況など）を受信する（ステップＦ７）。
次に、携帯電話機１０は、受信した関連情報を指定情報に指定し（ステップＦ８）、表示制御フラグが「１」であるか否かを判別する（ステップＦ９）。表示制御フラグが「１」であると判別された場合には（ステップＦ９でＹＥＳ）、携帯電話機１０は、表示制御処理Ａを行い（ステップＦ１０）、このフローチャートを終了する。一方、表示制御フラグが「１」でないと判別された場合には（ステップＦ９でＮＯ）、携帯電話機１０は、表示制御処理Ｂを行い（ステップＦ１１）、このフローチャートを終了する。
【００６７】
図１４は、前述した表示制御解除処理の動作の一例を説明するためのフローチャートである。
携帯電話機１０は、表示制御フラグが「１」であるか否かを判別する（ステップＧ１）。表示制御フラグが「１」であると判別された場合には（ステップＧ１でＹＥＳ）、携帯電話機１０は、画面Ａ１０６ａまたは画面Ｂ１０６ｂに表示されている表示内容を一時的に記憶し（ステップＧ２）、その表示内容を指定情報に指定し（ステップＧ３）、表示制御処理Ｂを行い（ステップＧ４）、表示制御フラグを「０」に設定した後（ステップＧ５）、このフローチャートを終了する。ステップＧ１で表示制御フラグが「１」でないと判別された場合には（ステップＧ１でＮＯ）、このフローチャートを終了する。
【００６８】
前述した実施形態においては、受信した情報に基づいて、画面Ａ１０６ａを選択したり画面Ｂ１０６ｂを選択したりした後、その選択された画面Ａ１０６ａあるいは画面Ｂ１０６ｂに受信した情報を表示させるようにしたので、受信した情報に相応しい適切な表示手段にその情報を表示させることができ、利便性を大きく向上させることができる。
【００６９】
また、前述した実施形態においては、受信した情報の緊急度に基づいて、画面Ａ１０６ａを選択したり画面Ｂ１０６ｂを選択したりした後、その選択された画面Ａ１０６ａあるいは画面Ｂ１０６ｂに受信した情報を表示させるようにしたので、受信した情報の緊急度に相応しい適切な表示手段にその情報を表示させることができ、利便性を大きく向上させることができる。たとえば、災害情報などのように緊急度の高い情報を受信した場合には、その災害情報をユーザの目に触れやすい表示手段に表示させることによって、より高い確率で、災害情報をユーザに知らせることができる。
【００７０】
また、前述した実施形態においては、受信した情報の種別や内容に基づいて、画面Ａ１０６ａを選択したり画面Ｂ１０６ｂを選択したりした後、その選択された画面Ａ１０６ａあるいは画面Ｂ１０６ｂに受信した情報を表示させるようにしたので、受信した情報の種別や内容に相応しい適切な表示手段にその情報を表示させることができ、利便性を大きく向上させることができる。
【００７１】
また、前述した実施形態においては、受信した情報に基づいて選択された画面Ａ１０６ａあるいは画面Ｂ１０６ｂに、受信した情報に関連する関連情報を表示させるようにしたので、受信した情報に相応しい適切な表示手段に、その情報に関連する関連情報を表示させることができ、利便性を大きく向上させることができる。たとえば、災害情報などのように緊急度の高い情報を受信した場合には、現在地における避難経路を示した地図などを、ユーザの目に触れやすい表示手段に表示させることによって、より高い確率で、関連情報をユーザに知らせることができる。
【００７２】
また、前述した実施形態においては、受信した情報の緊急度が高い場合に、電子ペーパなどのような電力供給が停止されても表示内容が保持される表示手段にその情報を表示させるようにしたので、消費電力を抑制することができ、利便性を大きく向上させることができる。たとえば、地震などの災害が発生した後には端末装置の充電が困難になることが想定されるので、より省電力の表示手段に表示させることによって消費電力を抑制できることは極めて重要である。
【００７３】
また、前述した実施形態においては、受信した情報に基づいて選択された画面Ａ１０６ａあるいは画面Ｂ１０６ｂにその情報を表示させるように制御している状態においては、割込イベントに応じた表示内容もその画面に表示させるようにしたので、より高い確率で、割込イベントに応じた表示内容をユーザに知らせることができる。たとえば、災害情報などのように緊急度の高い情報を受信した後に、音声通話の着信やメールの受信があった場合に、災害情報を表示した画面に着信情報や受信メールを表示させることによって、より高い確率で、着信情報や受信メールをユーザに知らせることができる。
【００７４】
また、前述した実施形態においては、電池残量が少ない場合や消費電力を抑制するための省電力モードに設定されている場合に、受信した情報に基づいて適切に画面Ａ１０６ａあるいは画面Ｂ１０６ｂを選択するようにしたので、いつも以上に省電力化を図る必要がある場合に、消費電力を抑制させることができる。
【００７５】
また、前述した実施形態においては、受信した情報に基づいて選択された画面Ａ１０６ａあるいは画面Ｂ１０６ｂにその情報を表示させる制御を、解除条件を満たした場合に解除するようにしたので、その制御を適切なタイミングで解除することができ、利便性を大きく向上させることができる。たとえば、災害が無くなった場合、災害地域外に移動した場合、充電して電池残量が充分な状態になった場合に、この制御を解除することができる。
【００７６】
なお、前述した実施形態においては、端末装置を携帯電話機としたが、これに限定されない。たとえば、パーソナルコンピュータ、ＰＤＡ、デジタルカメラ、音楽プレイヤー、携帯ゲーム機などのように、複数の表示手段に情報を表示させる任意の端末装置で良い。
【００７７】
また、前述した実施形態においては、複数の表示手段の配置を、折り畳みの内側面に１つの液晶画面、折り畳みの外側面に１つの電子ペーパ画面としたが、これに限定されない。たとえば、折り畳みの内側面に１つの液晶画面と１つの電子ペーパ画面、折り畳みの外側面に１つの電子ペーパ画面など、２以上の任意の数、任意の配置で良い。さらには、端末装置に備えられた表示手段に限らず、端末装置と通信可能に接続された外部表示手段でも良い。
【００７８】
また、前述した実施形態においては、筐体の使用状態を示すスタイルをオープンスタイルとクローズスタイルとしたが、これに限定されない。端末装置の筐体の構造に応じた任意のスタイルで良い。
【００７９】
また、前述した実施形態においては、電力供給が停止されても表示内容が保持される表示手段を電子ペーパとしたが、これに限定されない、電力供給が停止されても表示内容が保持される性質を有する任意の表示手段で良い。
【００８０】
また、前述した実施形態においては、緊急情報や緊急状態解除情報を、ニュースや天気情報と同じ方式（規格や通信システム）を利用した情報としたが、これに限定されない。メールと同じ方式を利用した緊急情報や緊急状態解除情報、地上波デジタル放送の放送波を利用した緊急情報や緊急状態解除情報など、任意の方式を利用した緊急情報や緊急状態解除情報で良い。
【００８１】
また、前述した実施形態においては、電池残量が少ない場合、省電力モードに設定されている場合に、受信した情報に基づいて表示手段を選択するようにしたが、これに限定されない。より簡易的に、電池残量、モードに関わらずに、受信した情報に基づいて表示手段を選択するようにしても良い。また、受信した情報に基づいて表示手段を選択するときの電池残量、モードをユーザが設定できるようにしても良い。
【００８２】
また、前述した実施形態においては、解除条件を複数記憶し、それらの解除条件を全て利用するようにしたが、これに限らない。より簡易に１つの解除条件のみを利用するようにしても良いし、利用する解除条件をユーザが設定できるようにしても良い。
【００８３】
また、前述した実施形態においては、割込イベントを音声通話の着信やメールの受信としたが、これに限定されない。アラーム報知時刻の到来を報知（表示）する報知イベントや、図６のステップＡ３の設定操作、図７のステップＡ１２のその他の操作などのユーザ操作に応じて表示内容を更新する更新イベントなどのように、任意の割込イベントで良い。
【図面の簡単な説明】
【００８４】
【図１】システム構成の一例を示す図。
【図２】携帯電話機１０の構成の一例を示す図。
【図３】携帯電話機１０の外観の一例を示す図。
【図４】受信情報記憶部１０１ｂに記憶される受信情報の一例を示す図。
【図５】解除条件記憶部１０１ｃに記憶される解除条件の一例を示す図。
【図６】携帯電話機１０の動作の一例を説明するためのフローチャート（メインルーチン）。
【図７】携帯電話機１０の動作の一例を説明するためのフローチャート（メインルーチン）。
【図８】情報受信処理の動作の一例を説明するためのフローチャート。
【図９】情報受信処理の動作の一例を説明するためのフローチャート。
【図１０】表示制御処理Ａの動作の一例を説明するためのフローチャート。
【図１１】表示制御処理Ｂの動作の一例を説明するためのフローチャート。
【図１２】着信／メール受信処理の動作の一例を説明するためのフローチャート。
【図１３】位置情報取得処理の動作の一例を説明するためのフローチャート。
【図１４】表示制御解除処理の動作の一例を説明するためのフローチャート。
【符号の説明】
【００８５】
１０  携帯電話機
１１  基地局
１２  交換機
１３  無線通信網
１４  インターネット
１５  ＧＰＳ衛星
１６  位置情報管理装置
１７  メール管理装置
１８  災害情報管理装置
１９  ニュース・天気情報管理装置
１００  中央制御部
１０１  記憶部
１０２  電池部
１０３  無線通信部
１０４  ＧＰＳ受信部
１０５  音声信号処理部
１０６  表示部
１０７  操作部
１０８  ＲＴＣ
１０９  報知部
【図１】
2010004326.tif 000003
【図２】
2010004326.tif 000004
【図３】
2010004326.tif 000005
【図４】
2010004326.tif 000006
【図５】
2010004326.tif 000007
【図６】
2010004326.tif 000008
【図７】
2010004326.tif 000009
【図８】
2010004326.tif 000010
【図９】
2010004326.tif 000011
【図１０】
2010004326.tif 000012
【図１１】
2010004326.tif 000013
【図１２】
2010004326.tif 000014
【図１３】
2010004326.tif 000015
【図１４】
2010004326.tif 000016